(57)【特許請求の範囲】
【請求項１】
肌当接面を構成する表面シート、非肌当接面を構成する裏面シート及び両シート間に介在配置された吸収体を具備する縦長の本体と、該表面シート及び該裏面シートの該吸収体の外周縁からの延出部分で構成されるフラップ部とを有する吸収性物品であって、
前記フラップ部の外周縁部の一部は、重なり合う前記表面シートと前記裏面シートとの間が熱処理によって接合されていない非ヒートシール部となっており、該外周縁部のその他の部分は、両シート間が熱処理によって接合されたヒートシール部となっており、
前記フラップ部における前記非ヒートシール部の形成領域の非肌当接面上に、該非ヒートシール部に沿って、該フラップ部を着衣に固定する非ヒートシール部粘着部が配されており、
前記非ヒートシール部粘着部は、該粘着部が沿っている前記非ヒートシール部に隣接する一方の前記ヒートシール部の端部から他方の前記ヒートシール部の端部に向かって該非ヒートシール部の外周縁部に沿って延びる、前記ヒートシール部の仮想延長線と重なって配されている吸収性物品。
【請求項２】
前記フラップ部は、前記本体の長手方向左右両側に延設された一対のウイング部及び一対の後部フラップ部を有し、該後部フラップ部は該ウイング部よりも本体長手方向後方に位置しており、
前記ウイング部の非肌当接面上に、該ウイング部を着衣に固定する前方粘着部が配され、前記後部フラップ部の非肌当接面上に、該後部フラップ部を着衣に固定する後方粘着部が配されており、
前記後部フラップ部の外周縁部の少なくとも一部が前記非ヒートシール部となっており、前記後方粘着部は、該後部フラップ部の非ヒートシール部に沿って配された前記非ヒートシール部粘着部である請求項１記載の吸収性物品。
【請求項３】
前記非ヒートシール部粘着部と該粘着部が沿っている前記非ヒートシール部に隣接する前記ヒートシール部の端部との間の最短距離が３ｍｍ以上である請求項１又は２記載の吸収性物品。
【請求項４】
前記前方粘着部を本体幅方向に二分する仮想直線上に、前記後方粘着部が存する請求項２又は３記載の吸収性物品。
【請求項５】
前記本体の非肌当接面上に本体長手方向に沿って、該本体を着衣に固定する本体粘着部が配されており、該本体粘着部の吸収性物品後端寄りの後端部と、前記後方粘着部の該吸収性物品後端寄りの後端部とが、本体長手方向において実質的に同位置にある請求項２〜４の何れかに記載の吸収性物品。
【発明の詳細な説明】
【技術分野】
【０００１】
本発明は、粘着部を介して下着等の着衣に固定して使用される吸収性物品に関する。
【背景技術】
【０００２】
従来、就寝時などに長時間使用するのに適した生理用ナプキンとして、前方にウイング部が設けられ、後方に後部フラップ部が設けられたものが知られている（特許文献１参照）。斯かる構成のナプキンは、ウイング部及び後部フラップ部それぞれの非肌当接面（着用者の肌側に向けられる面とは反対側の面）上に配された粘着部を介して、下着に固定されて使用される。
【０００３】
特許文献１に記載のナプキンは、特に、後部フラップ部の下着に対する固定性に乏しく、使用中に後部フラップ部がめくれたりヨレたりし、液漏れを起こすという問題があった。後部フラップ部の固定性を高めるには、後部フラップ部固定用の粘着部を、該後部フラップ部の長手方向側縁にできる限り近づけることが有効であるが、特許文献１には斯かる知見については何等記載されていない。
また、仮に、前記知見に基づいて、後部フラップ部固定用の矩形状の粘着部を、後部フラップ部の下着に対する固定性が充分に得られる程度まで、該後部フラップ部の長手方向側縁に近づけた場合、特許文献１に記載のナプキンにおいては、トップシートとバックシートとがそれらの全周縁に亘って連続して加熱融着されており、ナプキンの外周縁全体が所定幅を有するシール部となっているため、該シール部上に後部フラップ部固定用の粘着部が位置することになる。しかし、通常、シール部の表面は凹凸が存在し、平滑性に劣るため、シール部上に位置する粘着部は剥がれ易く、粘着部として機能し得ない。
着衣に対する固定性に優れ、後部フラップ部が安定して液漏れ効果を発揮できる吸収性物品は未だ提供されていない。
【０００４】
【特許文献１】特開平８−３２２８７９号公報
【発明の開示】
【発明が解決しようとする課題】
【０００５】
従って本発明の目的は、着衣に対する固定性に優れた吸収性物品を提供することにある。
【課題を解決するための手段】
【０００６】
本発明は、肌当接面を構成する表面シート、非肌当接面を構成する裏面シート及び両シート間に介在配置された吸収体を具備する縦長の本体と、該表面シート及び該裏面シートの該吸収体の外周縁からの延出部分で構成されるフラップ部とを有する吸収性物品であって、前記フラップ部の外周縁部の一部は、重なり合う前記表面シートと前記裏面シートとの間が熱処理によって接合されていない非ヒートシール部となっており、該外周縁部のその他の部分は、両シート間が熱処理によって接合されたヒートシール部となっており、前記フラップ部における前記非ヒートシール部の形成領域の非肌当接面上に、該非ヒートシール部に沿って、該フラップ部を着衣に固定する非ヒートシール部粘着部が配されており、前記非ヒートシール部粘着部は、該粘着部が沿っている前記非ヒートシール部に隣接する一方の前記ヒートシール部の端部から他方の前記ヒートシール部の端部に向かって該非ヒートシール部の外周縁部に沿って延びる、前記ヒートシール部の仮想延長線と重なって配されている吸収性物品を提供することにより、前記目的を達成したものである。
【発明の効果】
【０００７】
本発明の吸収性物品は、着衣に対する固定性に優れ、後部フラップ部が安定して液漏れ防止効果を発揮できる。
【発明を実施するための最良の形態】
【０００８】
以下、本発明の吸収性物品を、その好ましい実施形態に基づき図面を参照して説明する。図１は、本発明の一実施形態としての生理用ナプキンの非肌当接面側を示す平面図、図２は、図１に示す生理用ナプキンの肌当接面側を示す平面図、図３は、図２に示すＩ−Ｉ線断面を模式的に示す断面模式図である。肌当接面は、吸収性物品着用時に着用者の肌側に向けられる面であり、非肌当接面は、吸収性物品着用時に下着側（着用者の肌側とは反対側）に向けられる面である。
【０００９】
第１実施形態のナプキン１は、肌当接面を構成する表面シート２、非肌当接面を構成する裏面シート３及び両シート２，３間に介在配置された液保持性の縦長の吸収体４を具備する縦長の本体５と、表面シート２及び裏面シート３の吸収体４の外周縁からの延出部分で構成されるフラップ部とを有し、実質的に縦長の形状を有している。表面シート２は、液透過性の中央シート２ａ及びその長手方向左右両側に一部を重ねた状態で接合された撥水性の側部シート２ｂ，２ｂからなり、中央シート２ａと側部シート２ｂとは、本体長手方向に延びる接合線２Ｘにて接合されている。
【００１０】
ナプキン１は、その長手方向前端１ａから後端１ｃに向かって順に、着用時に着用者の腹部寄りの位置に配される前方部Ａ、着用者の液排泄部に対向配置される排泄部対向部Ｂ、及び着用者の背中寄りの位置に配される後方部Ｃを有している。第１実施形態における排泄部対向部Ｂと後方部Ｃとの境界は、ナプキン１の長手方向の略中央部に存する。
【００１１】
表面シート２及び裏面シート３は、上述したように吸収体４の外周縁から延出してフラップ部を形成している。本実施形態における表面シート２と裏面シート３とは同形状で略同寸法であり、両シート２，３は前記フラップ部において重ね合わされている。前記フラップ部の外周縁部は、ナプキン１の平面視における輪郭を形成している。前記フラップ部は、吸収体４の長手方向前後端から外方に延出している一対のエンドフラップ部と、吸収体４の長手方向左右両側縁から外方に延出している一対のサイドフラップ部とからなる。ナプキン１は、その幅方向の中央部分に縦長の本体５を有し、該本体５の長手方向左右両側に、一対のサイドフラップ部を有している。
【００１２】
前記フラップ部は、本体５の長手方向左右両側に延設された一対のウイング部６，６及び一対の後部フラップ部７，７を有し、後部フラップ部７はウイング部８よりも本体長手方向後方に位置している。より具体的には、前記サイドフラップ部は、排泄部対向部Ｂにおいてナプキン１の幅方向の外方に向かって大きく張り出しており、これにより本体５の左右両側に、一対のウイング部６，６が延設されている。また、前記サイドフラップ部は、排泄部対向部Ｂよりも後方に位置する後方部Ｃにおいてもナプキン１の幅方向の外方に向かって大きく張り出しており、これにより本体５の左右両側に、一対の後部フラップ部７，７が延設されている。ウイング部６及び後部フラップ部７の何れも、前記サイドフラップ部（フラップ部）の一部である。
【００１３】
ウイング部６の非肌当接面上には、ウイング部６を下着等の着衣に固定する前方粘着部８が配され、後部フラップ部７の非肌当接面上には、後部フラップ部７を着衣に固定する後方粘着部９が配されている。前方粘着部８及び後方粘着部９は、何れも縦長の矩形形状を有しており、その長手方向を本体長手方向に一致させて配されている。
ウイング部６は、ナプキン１を着衣に固定する際に、裏面シート３側に折り返されて、前方粘着部８を介して着衣の非肌当接面に粘着固定される。後部フラップ部７は、ナプキン１を着衣に固定する際に、本体５側に折り返されず、その非肌当接面が広げられた状態（本体５の側方に延ばされた状態）で、後方粘着部９を介して着衣の肌当接面上に粘着固定される。
尚、本体長手方向は、縦長の本体５の長辺に沿う方向と平行な方向であり、本体幅方向は、該本体長手方向と直交する方向である。
【００１４】
前記フラップ部の外周縁部（ナプキン１の外周縁部）の一部は、図１及び図２に示すように、重なり合う表面シート２と裏面シート３との間が熱処理によって接合されていない非ヒートシール部２１となっており、該外周縁部のその他の部分は、両シート２，３間が熱処理によって接合されたヒートシール部２０となっている。
第１実施形態においては、前記サイドフラップ部の一部である一対の後部フラップ部７，７それぞれの外周縁部の一部が非ヒートシール部２１となっており、前記サイドフラップ部の外周縁部のその他の部分及び前記エンドフラップ部の外周縁部は、ヒートシール部２０となっている。
【００１５】
ヒートシール部２０は、重なり合う表面シート２及び裏面シート３の少なくとも一方が、熱処理によって溶融して接着性を帯び、このシート自体の接着力により両シート２，３間が接合されている部分である。従って、ヒートシール部２０は、接着剤等の両シート２，３以外の他の接着成分は含んでいない。前記熱処理は、例えば公知のヒートシール法に従って行うことができる。
【００１６】
一方、非ヒートシール部２１は、重なり合う表面シート２と裏面シート３との間が、前記熱処理（ヒートシール法）によらずに接合されている部分であり、非ヒートシール部２１における両シート２，３の間は、接着剤等の接着成分を介して接合されている。非ヒートシール部２１の斯かる構成は、該非ヒートシール部２１がナプキン着用時にナプキンに作用する力が小さい部位に形成されること、及び剥離に対する強度の高いシール部間に形成されていることを前提として設計される。非ヒートシール部２１は、重なり合う表面シート２と裏面シート３との間が接合されている点ではヒートシール部２０と同じであるものの、接着成分を含んでいる点でヒートシール部２０と異なる。非ヒートシール部２１は、例えば、表面シート２及び／又は裏面シート３にホットメルト型の接着剤をスパイラル状、ビード状、膜状等の形状で塗工配置する方法；あるいは、表面シート２と裏面シート３との間に両シート２，３よりも溶融温度の低いフィルム材料を配し、該フィルム材料を両シート２，３に融着させる方法等により、形成することができる。
【００１７】
また、ヒートシール部２０は、通常、ナプキン使用時における該シール部の剥離防止や硬さの緩和等を目的として、その表裏面にエンボス処理等により凹凸形状が付与されるのに対し、非ヒートシール部２１は、上述したように接着性の材料によるシート同士の貼り合わせ固定のため、表裏面に凹凸形状は全く付与されないか、又は非常に微小な凹凸形状しか付与されず、表裏面は実質的に平坦である。従って、前記フラップ部の外周縁部において、互いに接合している表面シート２及び裏面シート３それぞれの外面に凹凸形状が付与されている場合、その凹凸形状部分はヒートシール部２０であり、該外周縁部における表裏面が実質的に平坦な部分は非ヒートシール部２１である。
【００１８】
本発明の特徴の一つとして、図１及び図４に示すように、前記フラップ部における非ヒートシール部２１の形成領域の非肌当接面上に、非ヒートシール部２１に沿って、該フラップ部を下着等の着衣に固定する非ヒートシール部粘着部が配されており、この非ヒートシール部粘着部が、該非ヒートシール部粘着部が沿っている非ヒートシール部２１に隣接する一方のヒートシール部２０の端部（シール端部）２０ａから他方のシール端部２０ｂに向かって該非ヒートシール部２１の外周縁部に沿って延びる、ヒートシール部２０の仮想延長線２２と重なって配されていることが挙げられる。第１実施形態においては、後部フラップ部７に配された後方粘着部９が、該後部フラップ部７の非ヒートシール部２１に沿って配された前記非ヒートシール部粘着部である。
【００１９】
このように、ナプキン１の外周縁部の一部を非ヒートシール部２１とし、該非ヒートシール部２１に沿ってヒートシール部２０の仮想延長線２２と重なるように後方粘着部９を配することにより、ナプキン１の着用時における後部フラップ部７のめくれやヨレの起点となりやすい、後部フラップ部７の外周縁部の着衣に対する固定性が高まり、後部フラップ部７による液漏れ防止効果を安定的に発揮させることができる。また、上述したように非ヒートシール部２１の外面は実質的に凹凸を有しておらず平坦であるため、後方粘着部９は該外面に対して強固に固着しており、後部フラップ部７から剥がれにくい。これに対し、外面に凹凸を有するヒートシール部２０の該外面上に粘着部を配した場合は、該粘着部の該外面に対する固着力が低下するため、ナプキンの着用時に該粘着部が該外面からから剥がれるおそれがある。
【００２０】
仮想延長線２２は、ヒートシール部２０の内周縁２０ｓ及び外周縁２０ｔそれぞれを、非ヒートシール部２１の外周縁に沿って延長させたときに、これら２本の延長線によって挟まれる領域である。従って、仮想延長線２２の幅は、これら２本の延長線間の最短距離に等しい。
【００２１】
前記非ヒートシール部粘着部（後方粘着部９）は、後部フラップ部７の着衣に対する固定性を一層高める観点から、少なくともその一部が、ナプキン１の外周縁（本実施形態ではヒートシール部２０の外周縁２０ｔと同じ）から本体幅方向に５ｍｍ以内で且つ仮想延長線２２の幅の領域に配されていることが好ましく、３ｍｍ以内で且つ仮想延長線２２の幅の領域に配されていることが更に好ましい。
【００２２】
また、前記非ヒートシール部粘着部（後方粘着部９）と、該非ヒートシール部粘着部が配されている、非ヒートシール部２１に隣接するシール端部２０ａ，２０ｂそれぞれとの間の最短距離Ｌａ，Ｌｂは、表面シート２と裏面シート３との非接着面を極力少なくする観点から、何れも、好ましくは３ｍｍ以上、更に好ましくは１〜２ｍｍである。最短距離ＬａとＬｂとは、同じであっても良く、異なっていても良い。
【００２３】
非ヒートシール部２１の本体長手方向に沿った長さＬは、ナプキン１の本体長手方向に沿った長さ（前端１ａと後端１ｃとの間の最短距離）に対して、好ましくは１０〜１７％、更に好ましくは１２〜１５％である。前記長さＬは、好ましくは２０〜６０ｍｍ、更に好ましくは３５〜５０ｍｍである。
【００２４】
第１実施形態においては、後部フラップ部７が上述の如き構成となっていることに加えて、更に、前方粘着部８を本体幅方向に二分する仮想直線Ｙ１上に、後方粘着部９が存する。このように、前方粘着部８と後方粘着部９とが本体長手方向に沿った同一直線上にあることにより、ナプキン１の製造時において、両粘着部８，９の塗工（転写）を一つの塗工設備を用いて一回で済ますことが可能となり、ナプキンの生産性が高められる。
【００２５】
上述した効果（生産性の向上）をより一層確実に奏させるようにする観点から、前方粘着部８を本体幅方向に二分する仮想直線Ｙ１と、後方粘着部９を本体幅方向に二分する仮想直線Ｙ２との間の最短距離、即ち、両仮想直線Ｙ１，Ｙ２の本体幅方向におけるズレ量は、好ましくは７ｍｍ以内、更に好ましくは５ｍｍ以内である。第１実施形態においては、両仮想直線Ｙ１，Ｙ２間の最短距離は０ｍｍである。
また、生産性の向上と共に、ナプキンの着衣に対する固定性をより一層高める観点から、前方粘着部８におけるナプキン１の外周縁部寄りの側縁の接線Ｙ３と、後方粘着部９におけるナプキン１の外周縁部寄りの側縁の接線Ｙ４との間の最短距離、即ち、両接線Ｙ３，Ｙ４の本体幅方向におけるズレ量は、好ましくは７ｍｍ以内、更に好ましくは５ｍｍ以内である。第１実施形態においては、両接線Ｙ３，Ｙ４間の最短距離は０ｍｍである。
【００２６】
第１実施形態においては、ウイング部６には非ヒートシール部２１は配されておらず、一対のウイング部６，６が存する部位（排泄部対向部Ｂ）の外周縁部の全周に亘ってヒートシール部２０が配されている。ヒートシール部２０の幅は、表面シート２と裏面シート３との間を熱処理（ヒートシール法）により接合する際の切れ等の発生を防いで両シート２，３間の接合強度を安定化すると共に、ヒートシール部２０の単位幅当りの接合強度向上に起因する該ヒートシール部２０の硬化を防止する観点から、好ましくは２〜７ｍｍ、更に好ましくは４〜６ｍｍである。また、ウイング部６におけるヒートシール部２０は、ウイング部６をショーツ等の下着への固定や下着からの取り外し時における持ち手（ウイング部６を把持するときの把持部）として機能するという効果も有する。
【００２７】
第１実施形態においては、図１に示すように、本体５の非肌当接面上に本体長手方向に沿って、本体５を着衣に固定する本体粘着部１０が配されている。本体粘着部１０は、縦長の矩形形状を有しており、本体５の幅方向中央部にその長手方向を本体長手方向に一致させて配されている。本体粘着部１０の長手方向の長さは、ナプキン１の長手方向の全長に対して好ましくは６０〜９０％であり、本体粘着部１０の幅方向の長さは、吸収体４の幅方向の長さ（最大幅）に好ましくは５０〜８０％である。
【００２８】
本体粘着部１０のナプキン後端１ｃ寄りの端部と、後方粘着部９のナプキン後端１ｃ寄りの端部とは、本体長手方向において実質的に同位置にあることが好ましい。ここで、「実質的に同位置にある」とは、後方粘着部９及び本体粘着部１０のナプキン後端１ｃ寄りの後端９ｃ，１０ｃそれぞれに対して本体幅方向と平行な接線Ｘ９，Ｘ１０を引いたとき、これら両接線Ｘ９，Ｘ１０間の最短距離、即ち、両接線Ｘ９，Ｘ１０の本体長手方向におけるズレ量が５ｍｍ以内である場合をいう。
【００２９】
このように、後部粘着部９の後端９ｃと本体粘着部１０の後端１０ｃとが本体長手方向において実質的に同位置にあることにより、ナプキン１の着衣に対する固定性が向上し、使用中にヨレやずれが起こりにくくなる。後部粘着部９の後端９ｃが本体粘着部１０の後端１０ｃから一定距離以上離間した後方にあると、ナプキン１の着用時に本体５がヨレたりずれたりするおそれがあり、逆に、後部粘着部９の後端９ｃが本体粘着部１０の後端１０ｃから一定距離離間した前方にあると、後部フラップ部７の下着への固定性が低下するおそれがある。
【００３０】
肌当接面を構成する表面シート２、非肌当接面を構成する裏面シート３、吸収体４としては、それぞれ当該技術分野において従来用いられている各種のものを特に制限なく用いることができる。表面シート２としては、例えば、不織布や開孔フィルム等の各種液透過性のシート材を用いることができる。裏面シート３は、液不透過性でも液透過性でも良く、例えば、透湿性を有しない樹脂フィルムや、微細孔を有し、透湿性を有する樹脂フィルム、撥水不織布等の不織布、これらと他のシートとのラミネート体等を用いることができる。吸収体４としては、解繊パルプ等の親水性繊維からなる繊維集合体又はこれに高吸収性ポリマーを保持させたもの等を用いることができる。また、粘着部８，９，１０形成用の粘着剤としては、例えばホットメルト接着剤を用いることができる。
【００３１】
第１実施形態のナプキン１は、ウイング部及び後部フラップ部を有するこの種の生理用ナプキンと同様に、粘着部を介して下着に固定されて使用される。
第１実施形態のナプキン１によれば、後部フラップ部７を着衣に固定する後方粘着部９（非ヒートシール部粘着部）が、非ヒートシール部２１に沿ってヒートシール部２０の仮想延長線２２と重なるように配されているため、後部フラップ部７の端部と着衣との間が後方粘着部９を介してしっかりと固定され、後部フラップ部７のめくれやヨレが効果的に防止され、ひいては身体後方からの液漏れが効果的に防止される。また、後方粘着部９は、表面平滑性に乏しくこの種の粘着部が粘着し難いヒートシール部２０と重なっておらず、後部フラップ部７に対して充分な粘着力で固着しているため、後方粘着部９と後部フラップ部７との間で剥離が起こるおそれが少ない。
また、上述したように、前方粘着部８を本体幅方向に二分する仮想直線Ｙ１上に後方粘着部９を配した場合には、両粘着部８，９の塗工（転写）工程の簡略化が図られ、生産性の向上が図られる。
【００３２】
図５には、本発明の第２実施形態の図１相当図（生理用ナプキンの裏面シート側の面を示す平面図）が示されている。第２実施形態については、上述した第１実施形態と異なる構成部分を主として説明し、第１実施形態と同様の構成部分は同一の符号を付して説明を省略する。第２実施形態における特に説明しない構成部分は、上述した第１実施形態についての説明が適宜適用される。
【００３３】
上述した第１実施形態における長手方向後端１ｃは、平面視においてナプキン１の長手方向外方に向けて凸に湾曲していたのに対し（図１参照）、図５に示す第２実施形態においては、ナプキン１の長手方向後端１ｃの平面視における形状が、本体幅方向と略平行な直線状となっている。第２実施形態における斯かる構成は、図５に示すように、本体粘着部１０の後端１ｃ寄りの端部１０ｃと後方粘着部９の後端１ｃ寄りの端部９ｃとを本体長手方向において同位置にし易いという効果を奏すると共に、後方粘着部９を後端１ｃに近接配置し易いという効果を奏する。後方粘着部９を後端１ｃに近接配置することで、後部フラップ部７の下着への固着性が一層高められる。
また、第２実施形態においては、矩形形状の複数（図５では２つ）の本体粘着部１０が、その長手方向を本体長手方向に一致させて本体幅方向に所定間隔を置いて配されている。
第２実施形態によっても第１実施形態と同様の効果が奏される。
【００３４】
以上、本発明をその好ましい実施形態に基づき説明したが、本発明は前記実施形態に制限されない。
例えば、前記実施形態では、ウイング部６には非ヒートシール部２１が配されておらず、ウイング部６に配されている前方粘着部８は前記非ヒートシール部粘着部ではなかったが、前方粘着部８を前記非ヒートシール部粘着部としても良い。即ち、前記実施形態において、後方粘着部９を前記非ヒートシール部粘着部とすることに代えて、前方粘着部８を前記非ヒートシール部粘着部としても良く、また、前方粘着部８及び後方粘着部９の両方を前記非ヒートシール部粘着部としても良い。前方粘着部８を前記非ヒートシール部粘着部とする場合、該前方粘着部８（非ヒートシール部粘着部）は、ウイング部６の本体長手方向側縁からヒートシール部２０の幅に略相当する距離離間した位置に形成することが好ましい。この離間距離は、ウイング部６を把持するときの持ち手（把持部）として機能することができる。
【００３５】
また、前記エンドフラップ部（吸収体４の長手方向前後端から外方に延出しているフラップ部）に非ヒートシール部２１を配し、該非ヒートシール部２１に沿ってヒートシール部２０の仮想延長線２２と重なるように前記非ヒートシール部粘着部を配しても良い。
【００３６】
また、前記実施形態では、表面シート２は、中央シート２ａとその長手方向左右両側に一部を重ねた状態で接合された側部シート２ｂ，２ｂとからなるものであったが、一枚の連続したシートからなる表面シートであっても良く、要は、生理用ナプキンの肌当接面を構成し得るもものであれば良い。
また、本発明の吸収性物品の適用例の一つとして生理用ナプキンを挙げたが、例えばパンティライナー、軽失禁ライナー等にも適用できる。
前述した一の実施形態のみが有する部分は、すべて適宜相互に利用できる。
【図面の簡単な説明】
【００３７】
【図１】図１は、本発明の一実施形態である生理用ナプキンの第１実施形態の裏面シート側の面（非肌当接面）を示す平面図である。
【図２】図２は、図１に示す生理用ナプキンの表面シート側の面（肌当接面）を示す平面図である。
【図３】図３は、図２に示すＩ−Ｉ線断面を模式的に示す断面模式図である。
【図４】図４は、図１の要部（非シール部）を拡大して示す拡大平面図である。
【図５】図５は、本発明の第２実施形態の図１相当図である。
【符号の説明】
【００３８】
１  生理用ナプキン
２  表面シート
３  裏面シート
４  吸収体
５  本体
６  ウイング部
７  後部フラップ部
８  前方粘着部
９  後方粘着部（非ヒートシール部粘着部）
１０  本体粘着部
２０  ヒートシール部
２０ａ，２０ｂ  ヒートシール部の端部（シール端部）
２１  非ヒートシール部
２２  ヒートシール部の仮想延長線
Ａ  前方部
Ｂ  排泄部対向部
Ｃ  後方部
Ｙ１  前方粘着部を本体幅方向に二分する仮想直線
【図１】
0004921337.tif 000002
【図２】
0004921337.tif 000003
【図３】
0004921337.tif 000004
【図４】
0004921337.tif 000005
【図５】
0004921337.tif 000006